(57)【要約】【課題】省エネ性ならびに快適性に優れた空気調和機連動窓開閉装置を提供する。【解決手段】外気温を検知する外気温検知手段３と、窓７を自動で開閉する窓開閉手段８と、送風手段（図示せず）を有し室内の温度を制御する空気調和機２と、窓開閉手段８と空気調和機２の駆動を制御する制御手段９を備え、使用者が空気調和機２に冷房運転を指示している際あるいは指示を開始する際に、外気温が所定の温度以下の場合、制御手段９が空気調和機２の冷房運転を停止し、窓開閉手段８で前記窓７を開けると共に、送風手段による送風動作と連動させるもので、外気温が低い際に空気調和機２の冷房運転を停止して自動で窓を開けるだけでなく送風手段も利用して外気を室内に取り入れて室内温度を下げるので、短時間で室内温度が下げられて快適な上に総合的に見て省エネである。また、窓７の開閉動作が自動なので使用者は面倒な動作を行わなくて済み便利である。【選択図】図１
2014031950.tif 000002
【特許請求の範囲】
【請求項１】
外気温を検知する外気温検知手段と、窓を自動で開閉する窓開閉手段と、送風手段を有し室内の温度を制御する空気調和機と、前記窓開閉手段と前記空気調和機の駆動を制御する制御手段を備え、使用者が前記空気調和機に冷房運転を指示している際あるいは指示を開始する際に、外気温が所定の温度以下の場合、前記制御手段が前記空気調和機の冷房運転を停止し、前記窓開閉手段で前記窓を開けると共に、前記送風手段による送風動作と連動させることを特徴とする空気調和機連動窓開閉装置。
【請求項２】
外気温を検知する外気温検知手段と、窓を自動で開閉する窓開閉手段と、室内の温度を制御する空気調和機と、前記窓開閉手段と前記空気調和機の駆動を制御する制御手段を備え、使用者が前記空気調和機に暖房運転を指示している際あるいは指示を開始する際に、外気温が所定の温度以上の場合、前記制御手段が前記空気調和機の運転を停止すると共に、前記窓開閉手段で前記窓を開けることを特徴とする空気調和機連動窓開閉装置。
【請求項３】
窓開閉手段が窓の開動作もしくは閉動作を行う際に、音もしくは光の少なくともいずれか一方で、使用者にそのことを報知するようにした請求項１又は２に記載の空気調和機連動窓開閉装置。
【請求項４】
窓開閉手段が窓の開動作を行っている際に、不審者が室内に侵入するのを防止する防犯機能を備えた請求項１〜３のいずれか１項に記載の空気調和機連動窓開閉装置。
【発明の詳細な説明】
【技術分野】
【０００１】
本発明は、空気調和機の運転に連動して動作する家庭用の空気調和機連動窓開閉装置に関するものである。
【背景技術】
【０００２】
従来のこの種の空気調和機連動窓開閉装置として、窓開閉手段により開閉自在となった窓と室内空調を行う空気調和機を備え、室内温度よりも外気温が高い場合には、空気調和機がＯＮでかつ窓が閉となり、室内温度よりも外気温が低い場合には、空気調和機がＯＦＦでかつ窓が開となるものがあった（例えば、特許文献１参照）。
【先行技術文献】
【特許文献】
【０００３】
【特許文献１】特開平５−１８４１号公報
【発明の概要】
【発明が解決しようとする課題】
【０００４】
しかしながら、上記特許文献１に示されるような従来の空気調和機連動窓開閉装置の構成では、室内温度よりも外気温が低い場合には、空気調和機がＯＦＦとなって窓が開となるもので、空気調和機をＯＦＦして窓を開としただけでは、室内外に気圧差があまりない状態では温度の低い外気を十分に室内に取り込むことは困難であった。また、暖房利用時で、外気温が高い時に窓を開にして、外気を取り込んで省エネをはかることもできなかった。さらに、窓を自動で開とすることから、防犯上の課題を有していた。
【０００５】
本発明は、上記従来の課題を解決するもので、効率よく外気を室内に取り入れることができて、快適で省エネで、しかも防犯機能を備えた空気調和機連動窓開閉装置を提供することを目的とする。
【課題を解決するための手段】
【０００６】
前記従来の課題を解決するために、本発明の空気調和機連動窓開閉装置は、外気温を検知する外気温検知手段と、窓を自動で開閉する窓開閉手段と、送風手段を有し室内の温度を制御する空気調和機と、前記窓開閉手段と前記空気調和機の駆動を制御する制御手段を備え、使用者が前記空気調和機に冷房運転を指示している際あるいは指示を開始する際に、外気温が所定の温度以下の場合、前記制御手段が前記空気調和機の冷房運転を停止し、前記窓開閉手段で前記窓を開けると共に、前記送風手段による送風動作と連動させるもので、外気温が低い際に空気調和機の冷房運転を停止して自動で窓を開けるだけでなく送風手段も利用して外気を室内に取り入れて室内温度を下げるので、短時間で室内温度が下げられて快適な上に総合的に見て省エネである。また、窓の開閉動作が自動なので使用者は面倒な動作を行わなくて済み便利である。
【０００７】
また、本発明の空気調和機連動窓開閉装置は、外気温を検知する外気温検知手段と、窓を自動で開閉する窓開閉手段と、室内の温度を制御する空気調和機と、前記窓開閉手段と前記空気調和機の駆動を制御する制御手段を備え、使用者が前記空気調和機に暖房運転を指示している際あるいは指示を開始する際に、外気温が所定の温度以上の場合、前記制御手段が前記空気調和機の運転を停止すると共に、前記窓開閉手段で前記窓を開けるもので、外気温が高い際に空気調和機の暖房運転を停止して自動で窓を開け、外気を室内に取り入れて室内温度を上げるので、さらに省エネである。また、窓を開ける動作を自動で行うため使用者は面倒な動作を行わなくて済み便利である。
【発明の効果】
【０００８】
本発明の空気調和機連動窓開閉装置は、窓を開動作した場合に、空気調和機の送風手段を駆動させるので、効率よく外気を室内に取り入れることができて、快適で省エネである。また、冷房時だけでなく暖房時で外気温が高いときに、窓を開けて外気を取り込んで、暖房運転を停止することも出来るのでより省エネである。さらに、窓の開動作を自動で行う際にも、防犯機能を備えているので安心である。
【図面の簡単な説明】
【０００９】
【図１】本発明の実施の形態１に係る空気調和機連動窓開閉装置の外観斜視図
【発明を実施するための形態】
【００１０】
第１の発明は、外気温を検知する外気温検知手段と、窓を自動で開閉する窓開閉手段と、送風手段を有し室内の温度を制御する空気調和機と、前記窓開閉手段と前記空気調和機の駆動を制御する制御手段を備え、使用者が前記空気調和機に冷房運転を指示している際あるいは指示を開始する際に、外気温が所定の温度以下の場合、前記制御手段が前記空気調和機の冷房運転を停止し、前記窓開閉手段で前記窓を開けると共に、前記送風手段による送風動作と連動させるもので、外気温が低い際に空気調和機の冷房運転を停止して自動で窓を開けるだけでなく送風手段も利用して外気を室内に取り入れて室内温度を下げるので、短時間で室内温度が下げられて快適な上に総合的に見て省エネである。また、窓の開閉動作が自動なので使用者は面倒な動作を行わなくて済み便利である。
【００１１】
第２の発明は、外気温を検知する外気温検知手段と、窓を自動で開閉する窓開閉手段と、室内の温度を制御する空気調和機と、前記窓開閉手段と前記空気調和機の駆動を制御する制御手段を備え、使用者が前記空気調和機に暖房運転を指示している際あるいは指示を開始する際に、外気温が所定の温度以上の場合、前記制御手段が前記空気調和機の運転を停止すると共に、前記窓開閉手段で前記窓を開けるもので、外気温が高い際に空気調和機の暖房運転を停止して自動で窓を開け、外気を室内に取り入れて室内温度を上げるので、さらに省エネである。また、窓を開ける動作を自動で行うため使用者は面倒な動作を行わなくて済み便利である。
【００１２】
第３の発明は、特に、第１又は第２の発明の窓開閉手段が窓の開動作もしくは閉動作を行う際に、音もしくは光の少なくともいずれか一方で、使用者にそのことを報知するようにしたもので、使用者の意図しないうちに窓が開いたり閉じたりして使用者を困らせることがないようにする。
【００１３】
第４の発明は、特に、第１〜３のいずれかひとつの発明の窓開閉手段が窓の開動作を行っている際に、不審者が室内に侵入するのを防止する防犯機能を備えたもので、窓を自動で開いている間に不審者が侵入するといった不安に対して、安心である。
【００１４】
以下、本発明の実施の形態について、図面を参照しながら説明する。なお、本実施の形態によって本発明が限定されるものではない。
【００１５】
（実施の形態１）
図１は、本発明の実施の形態１に係る空気調和機連動窓開閉装置の外観斜視図を示す図である。
【００１６】
図１において、空気調和機連動窓開閉装置の空気調和機２の室外機１は屋外に設置され、外気温を検知する外気温検知手段３の他、冷媒を圧縮する圧縮機と、冷媒を循環させる冷媒配管と、冷媒を減圧するための膨張弁と、冷媒と室外の空気を熱交換するための室外
熱交換器と、その室外熱交換器に空気を送風するための室外送風手段（いずれも図示せず）を備えている。
【００１７】
また、空気調和機２の室内機４は室内の壁に設置されており、室内の温度を検知する室内温度検知手段５の他、冷媒を循環させるための冷媒配管と、冷媒と室内の空気を熱交換するための室内熱交換器と、室内熱交換器で熱交換した空気を室内に送風するための送風手段（いずれも図示せず）を備えている。室内機４と室外機１は共に、冷媒配管６で接続されている。
【００１８】
室内に設けられた窓７は、開度を自在に調節可能で、かつ窓が自動もしくは電動で開閉可能な窓開閉手段８を備えている。窓開閉手段８と空気調和機２は、制御手段９によって窓７の開閉動作と空気調和機２の駆動が制御される。
【００１９】
以上のように構成された本実施の形態における空気調和機連動窓開閉装置について、以下その動作、作用を説明する。
【００２０】
まず使用者が、希望の設定温度を設定して空気調和機２に冷房運転の指示を与えると、空気調和機２では、室外機１に搭載された圧縮機が駆動し、圧縮機から吐出される冷媒は室外熱交換器によって熱交換された後、膨張弁によって減圧されて室内機４で空気と熱交換される。
【００２１】
熱交換された比較的低温の空気は、送風手段によって室内に送風される。この時、例えば室内温度が３０℃、使用者が設定した空調設定温度が２８℃、外気温が３５℃の時、空気調和機２の冷房運転によって使用者は快適な室内温度を実現することができる。一方、室内温度が３０℃、設定温度が２８℃、外気温が２５℃の場合は、制御手段９が冷房運転を停止し、窓開閉手段８が窓７を開き、さらに室内機４の送風手段が送風動作を行うと、室内よりも温度の低い室外の空気が室内に流入して、圧縮機の駆動を停止したままでも、つまり冷房運転を停止したままでも、送風手段を運転するだけで室内温度を快適にすることができる。
【００２２】
送風手段の駆動に必要な電力は、圧縮機の駆動に必要な電力と比べると十分に小さいため、圧縮機の運転を続ける場合に比べて、送風手段の運転は行いつつ窓７を開けて外気を取り込む場合の方が、トータルとして消費電力が抑えられて省エネでもありながら、かつ送風手段を運転しない場合に比べて短時間で室内温度が下げられるので快適である。ここで送風運転を実施しないと、気圧差の少ない室内と室外の空気を入れ換えるのは容易ではなく、温度の低い外気の空気を室内に導入するのが困難であるため、低温の外気を使って効率よく室内温度を下げるのは困難となる。
【００２３】
制御手段９が、空気調和機２の冷房運転を停止して窓開閉手段８を動作させるかどうかの判断基準の例としては、室内温度や冷房設定温度に比べて外気温が低いといったことが挙げられる。この場合、外気温と室内温度との温度差、あるいは外気温と冷房設定温度との温度差が大きいほど（例えば３℃以上）、外気を用いて室温を下げることが容易に実施できる。また、外気温、室内温度、設定温度のそれぞれの温度情報から窓７の開度を変えたり、送風手段のファンの回転数を変えたり止めたりすることで、室温を快適な温度に制御をすることが容易に実現できる。
【００２４】
自動で開いた窓７は、使用者が空気調和機２に冷房運転を停止する指示を出すか、もしくは、外気温が設定温度よりも低い時で室内温度が設定温度となった場合は、自動で閉じられる。また、窓７が自動で開いていて外気温が設定温度よりも高くなった場合、あるいは外気温が設定温度から所定温度（例えば１℃）引いた温度よりも高くなった場合には、
窓７は自動で閉じられ、空気調和機２は冷房運転を行う。
【００２５】
外気を室内に取り込むために自動で窓７を開ける場合、窓開閉手段８は開ける前かもしくは開けている際中に、音や光を用いて窓７が開くことを使用者に報知する。これは、例えば、使用者が気が付かない間に窓７が開いて、使用者に不都合な状況が生じるのを防止するためのものである。具体的には窓が開く前に窓開閉手段８もしくは制御手段９に備えられたランプやＬＥＤ（図示せず）が点滅もしくは点灯したり、電子音が発せられたりして報知を行う。報知手段（図示せず）はランプやＬＥＤや電子音等のいずれかでも構わないし、これらの複数を組み合わせても構わない。
【００２６】
就寝前に、空気調和機２が冷房運転を開始し、その一定時間経過後の就寝中に外気温が下がって、冷房運転が停止して窓開閉手段８が窓７の開動作を行うことを、使用者が予め把握出来ている場合でかつ、就寝中なので窓７が開く前に報知があると、それによって就寝中の使用者が目を覚ましてしまうなど却って使用者に不都合が生じる場合には、使用者は報知の有り無しを選択して設定することも可能である。
【００２７】
さらに、窓開閉手段８が報知手段と時計の機能を備え、昼間は報知を行い夜間は報知を行わないように使用者が設定して自動で実行することも可能である。また、窓７を窓開閉手段８が自動で開けることも、報知手段によって窓７を開けることを事前に使用者に報知することも、いずれもが使用者にとって不都合な場合には、使用者は自動開閉機能をＯＦＦすることも可能で、自動開閉機能を選択的に利用することが可能である。
【００２８】
なお、以上、窓７を開ける動作についてのみ説明したが、逆に窓７を閉める動作についても同様である。窓７を閉める際に、使用者が誤って手や指など体の一部を窓７に挟んでけがをしたり、大切なものを挟んで破損させたりしないように報知を行う。そしてその報知の有り無しは選択的に設定可能であり、かつ窓７の自動開閉機能の利用についても選択的に設定可能である。
【００２９】
自動で窓７を開けようとする場合に室外で雨が降っていて、その雨が室内に入り込むのを防止するために、降雨センサ（図示せず）を備えることも有効である。これにより、冷房運転を停止して窓７を開ける条件が整った場合でも、雨が降っている場合には窓７を開けないで冷房運転を継続したり、窓７の開度を小さめにして冷房運転を停止し送風手段を駆動するといったことが可能となる。
【００３０】
また、窓開閉手段８が複数の窓７に備えられて、送風手段と複数の窓７とが連携して、室内温度を快適な温度に制御することでより快適な制御が可能となる。具体的には、複数の窓７を開けることで室内外の風の通りが良くなる場合は、外気を室内に取り込むことが容易に行えるため、送風手段のファンの回転数を下げたりファンの運転を止めたり、また、それぞれの窓７の開度を調節することで、室内温度を思い通りに制御することが可能である。
【００３１】
ここで、窓７の自動開閉や、送風手段の運転に必要な外気温検知手段３や室内温度検知手段５は、空気調和機２の室内機１や室内機４にそれぞれ取り付けられているものを利用することで新たに設置する必要は無く安価に済む。なお一方で、温度を測定したい場所が上記と異なる位置となる場合、例えば、外気温検知手段３を窓７の外側の窓７の近傍に設置したいといった場合は、新たに設置することで、温度検知の精度を上げることも可能である。
【００３２】
以上、冷房運転の場合について述べたが、暖房運転の場合も以下のように同様である。冷房運転と異なる部分についてのみ説明する。使用者が希望の設定温度を設定して空気調
和機２に暖房運転の指示を与えると、空気調和機２では、圧縮機が駆動して高温の冷媒が室内機４に送られて、冷媒と空気が熱交換され、送風手段によって、室内に比較的高温の空気が送風される。
【００３３】
この時、例えば、室内温度が１５℃、設定温度が２２℃、外気温が１０℃の時、空気調和機２の暖房運転によって使用者は室内温度を快適にすることができる。一方、室内温度が１５℃、設定温度が２２℃、外気温が２５℃の場合、暖房運転を停止し、窓開閉手段８が窓７を開き、さらに室内機４の送風手段が送風動作を行うと、室内よりも温度の高い室外の空気が室内に流入して、圧縮機の駆動を停止したままでも、つまり暖房運転を停止したままでも、室内温度を快適にすることができ省エネである。このとき必要に応じて送風手段を運転すれば、気圧差の少ない室内と室外の空気を容易に入れ換えることが可能で効率よく外気を室内に取り込むことが出来、一定程度省エネでありかつ、短時間で室内温度が下げられるので快適である。
【００３４】
制御手段９が、空気調和機２の暖房運転を停止して窓開閉手段８を動作させて窓７を開ける動作を実施するための判断基準の例としては、室内温度や暖房設定温度に比べて外気温が高いといったことが挙げられる。この場合、外気温と室内温度との温度差、あるいは外気温と暖房設定温度との温度差が大きいほど（例えば３℃以上）、外気を用いて室温を上げることが容易に実施できる。また、外気温、室内温度、設定温度のそれぞれの温度情報から窓７の開度をかえたり、送風手段のファンの回転数を変えたり止めたりすることで、室温を快適な温度に制御をすることが比較的容易に実現できる。
【００３５】
自動で開いた窓７は、使用者が空気調和機２に暖房運転を停止する指示を出すか、もしくは外気温が設定温度よりも高い時で室内温度が設定温度となった場合は、自動で閉じられる。また、窓７が自動で開いていて外気温が設定温度よりも低くなった場合、あるいは外気温が設定温度から所定温度（例えば１℃）加えた温度よりも低くなった場合には、窓７は自動で閉じられ、空気調和機２は暖房運転を行う。
【００３６】
なお、本実施の形態における空気調和機連動窓開閉装置は、窓７が自動で開いた場合や開いている場合に、不審者が開いている窓７に近づいたり、窓７から屋内に侵入しないように防犯機能を備えている。具体的には、防犯機能は、人が近づいたことを検知する人感センサ（図示せず）を備え、人感センサが窓７に人が近づいたことを検知すると、ランプやＬＥＤなどの光や電子音などの音を発したり、窓７を自動で閉めたりする。これによって、窓開閉手段８が窓７を自動で開けている場合でも、不審者が窓に近づいたり、窓から侵入するのを防止することができるので、使用者は安心である。
【産業上の利用可能性】
【００３７】
以上のように、本発明にかかる空気調和機連動窓開閉装置は、窓が開動作した場合に、空気調和機の送風手段を駆動させるので、効率よく外気を室内に取り入れることができて、快適で省エネであるのに加えて、冷房時だけでなく暖房時で外気温が高いときに、窓を開けて外気を取り込んで、暖房運転を停止することも出来てより省エネであったり、更に、窓の開動作を行う際に、防犯機能を備えていて使用者に安心感を与えることができるので、家庭用の空調分野に限らず、業務用空調分野、住宅建築分野、ホームセキュリティ分野への応用が可能である。
【符号の説明】
【００３８】
２  空気調和機
３  外気温検知手段
７  窓
８  窓開閉手段
９  制御手段
【図１】
2014031950.tif 000003